【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
運転キャビン内に運転座席を配備してあり、前記運転キャビンの左右一対のフロントピラーの間にフロントガラスを設けてあるとともに、前記左右一対のフロントピラーのうち、一方に存在する一方側フロントピラーよりも後方側における前記運転キャビンの横側面に透明ガラス製の横窓を設けてあるコンバインであって、
作業関連情報を表示する表示用機器、あるいは作業関連装置に対する操作指令を入力するための操作指令具の少なくともいずれか一方を配備した作業パネルが、前記一方側フロントピラーの上下方向に沿って縦長形状に形成され、その一方側フロントピラーに設けられたことを特徴とするコンバイン。
【請求項２】
前記作業パネルは、前記運転座席の座面の中央位置から前記一方側フロントピラーへの投影方向で前記一方側フロントピラーと重複する位置に取り付けられている請求項１記載のコンバイン。
【請求項３】
前記作業パネルは、前記運転座席の座面の中央位置と前記一方側フロントピラーとを結ぶ線分よりも、左右方向でキャビン中央側に突出している請求項１又は２記載のコンバイン。
【請求項４】
前記作業パネルは、作業関連情報を表示する表示用機器、あるいは作業関連装置に対する操作指令を入力するための操作指令具の少なくともいずれか一方の複数種が一体的に組み込まれたパネルユニットによって構成されている請求項１〜３のいずれか一項記載のコンバイン。
【請求項５】
前記作業パネルは、前記運転座席の座面の中央位置と、左右方向で前記作業パネルを配備してある側の分草具とを結ぶ線上に配備されている請求項１〜４のいずれか一項記載のコンバイン。
【請求項６】
左右方向で前記作業パネルが配備された側とは反対側に、操縦操作用の操向レバーが設けられている請求項１〜５のいずれか一項記載のコンバイン。
【請求項７】
前記フロントガラスは、左右方向での中央側が端部側よりも前方に膨出した形状に形成され、前記作業パネルは、前記一方側フロントピラーよりも後方側に配設されている請求項１〜６のいずれか一項記載のコンバイン。
【請求項８】
前記作業パネルは、その操作面が前記運転座席側に向かうように、内側後方に向けて設けられている請求項１〜７のいずれか一項記載のコンバイン。
【請求項９】
前記運転座席に対して前記作業パネルが存在する側にサイドパネルボックスが設けられ、前記サイドパネルボックスよりも前方側の高い位置に前記作業パネルが備えられている請求項１〜８のいずれか一項記載のコンバイン。
【請求項１０】
前記フロントガラスは、前記運転キャビンの屋根部から前記運転座席の座面よりも下方にわたる範囲に設けられている請求項１〜９のいずれか一項記載のコンバイン。
【請求項１１】
前記左右一対のフロントピラーは、前記運転キャビンの床面の前端縁よりも前方側へ突出するように前傾姿勢で配設されている請求項１〜１０のいずれか一項記載のコンバイン。
【手続補正２】
【補正対象書類名】明細書
【補正対象項目名】全文
【補正方法】変更
【補正の内容】
【発明の詳細な説明】
【発明の名称】コンバイン
【技術分野】
【０００１】
本発明は、運転キャビン内に運転座席、及び走行用の変速レバーが配設されたサイドパネルボックスを配備してあるコンバインに関する。
【背景技術】
【０００２】
従来、運転キャビン内に運転座席、及び走行用の変速レバーが配設されたサイドパネルボックスを配備してあるコンバインとしては、下記の［１］及び［２］に記載のものが存在する。
［１］運転座席の前方側にフロントパネルボックスを備え、運転座席の左側部にサイドパネルボックスを備えていて、その左側部のサイドパネルボックスに、主変速レバーとともに主制御スイッチ群及び副制御スイッチ群を配設してあり、前記フロントパネルボックスには、パワステレバーと走行関連のコンビネーションスイッチなどを設けたもの（特許文献１参照）。
［２］運転座席の前方位置にステアリングハンドルを備え、走行用の変速レバーが配設された運転座席の左側部に位置するサイドパネルボックスとは別の、前記ステアリングハンドルを支持するステアリングコラムの上部に、各種スイッチ類等が配設されたフロントパネルや計器パネルを設けたもの（特許文献２参照）。
【先行技術文献】
【特許文献】
【０００３】
【特許文献１】特開平１１−１８５５７号公報（段落「００２３」，図１，図２，図３）
【特許文献２】特開２００４−２７５１４２号公報（段落「００１０」，図５，図６，図７）
【発明の概要】
【発明が解決しようとする課題】
【０００４】
上記［１］に記載の構造を有したコンバインでは、運転座席の左側部に位置するサイドパネルボックスに、主制御スイッチ群と副制御スイッチ群との両方を配設しているので、制御スイッチ群の大部分がサイドパネルボックスに配備されていて、運転座席の側部におけるサイドパネルボックス上の制御スイッチ等を操作しにくかったり、目視し難いという問題がある。
【０００５】
上記［２］に記載の構造を有したコンバインでは、各種スイッチ類や計器類を、ステアリングコラムの上部に配設されたフロントパネルや計器パネルに設けたものであるから、各種スイッチ類や計器類を運転座席の前方側で操作したり、目視し易いという点で有利なものであるが、ステアリングハンドルが比較的大きなものであることに加え、大部分の各種スイッチ類や計器類を装備するフロントパネルや計器パネルも比較的大きなものとなって、運転座席の前方下方側の視界を大きく確保し難いものであった。
【０００６】
本発明の目的は、運転座席の前方下方側の視界を大きく確保しながら、各種スイッチ類や計器類の操作や視認を行い易いところのコンバインを提供することにある。
【課題を解決するための手段】
【０００７】
上記目的を達成するために講じた本発明におけるコンバインの技術手段では、次の点に構成上の特徴、及び作用効果がある。
〔解決手段１〕
運転キャビン内に運転座席を配備してあり、前記運転キャビンの左右一対のフロントピラーの間にフロントガラスを設けてあるとともに、前記左右一対のフロントピラーのうち、一方に存在する一方側フロントピラーよりも後方側における前記運転キャビンの横側面に透明ガラス製の横窓を設けてあるコンバインであって、
作業関連情報を表示する表示用機器、あるいは作業関連装置に対する操作指令を入力するための操作指令具の少なくともいずれか一方を配備した作業パネルが、前記一方側フロントピラーの上下方向に沿って縦長形状に形成され、その一方側フロントピラーに設けられたことを特徴とする。
【０００８】
〔解決手段１にかかる発明の作用及び効果〕
上記解決手段１で示した特徴構成によると、作業関連情報を表示する表示用機器や作業関連装置に対する操作指令を入力するための操作指令具を備える作業パネルがフロントピラーに設けられるものであるため、フロントピラーを作業パネルの取付手段として利用して構造の簡素化を図り得るととともに、運転キャビン内で極力前方側に寄せた位置に作業パネルを配設することができて、運転キャビン内空間を有効利用できる利点がある。
しかも、フロントピラーに設けられた作業パネルは、その操作面が上下方向に沿う状態となるので、運転座席に搭座する操縦者の視線に対してほぼ垂直に近い面となる。このため、例えば水平に近いような面である場合に比べて目視し易く、かつ操作面のどの位置に設けられた表示用機器や操作指令具も、運転座席からの距離が遠近方向で大きな差のない箇所に配設されるので操作も行い易いという利点がある。
【０００９】
〔解決手段２〕
上記課題を解決するために講じた本発明の他の技術手段は、前記作業パネルは、前記運転座席の座面の中央位置から前記一方側フロントピラーへの投影方向で前記一方側フロントピラーと重複する位置に取り付けられているということである。
〔解決手段２にかかる発明の作用及び効果〕
上記解決手段２で示した特徴構成によると、作業パネルとフロントピラーとが、運転座席に搭座する操縦者の視界の中で重複して位置することになるので、作業パネルとフロントピラーとが左右に位置ずれして設けられている場合に比べて、操縦者の視界をより大きく確保し得る利点がある。
〔解決手段３〕
上記課題を解決するために講じた本発明の他の技術手段は、前記作業パネルは、前記運転座席の座面の中央位置と前記一方側フロントピラーとを結ぶ線分よりも、左右方向でキャビン中央側に突出しているということである。
〔解決手段４〕
上記課題を解決するために講じた本発明の他の技術手段は、前記作業パネルは、作業関連情報を表示する表示用機器、あるいは作業関連装置に対する操作指令を入力するための操作指令具の少なくともいずれか一方の複数種が一体的に組み込まれたパネルユニットによって構成されているということである。
【００１０】
〔解決手段４にかかる発明の作用及び効果〕
上記解決手段４で示した特徴構成によると、作業パネルとして、作業関連情報を表示する表示用機器、あるいは作業関連装置に対する操作指令を入力するための操作指令具の少なくともいずれか一方の複数種が操作面に一体的に組み込まれたパネルユニットを用いて、比較的コンパクトで構造簡単な構造のものを得やすいという利点がある。
【００１１】
〔解決手段５〕
上記課題を解決するために講じた本発明の他の技術手段は、前記作業パネルは、前記運転座席の座面の中央位置と、左右方向で前記作業パネルを配備してある側の分草具とを結ぶ線上に配備されているということである。
【００１２】
【００１３】
〔解決手段６〕
上記課題を解決するために講じた本発明の他の技術手段は、左右方向で前記作業パネルが配備された側とは反対側に、操縦操作用の操向レバーが設けられているということである。
【００１４】
【００１５】
〔解決手段７〕
上記課題を解決するために講じた本発明の他の技術手段は、前記フロントガラスは、左右方向での中央側が端部側よりも前方に膨出した形状に形成され、前記作業パネルは、前記一方側フロントピラーよりも後方側に配設されているということである。
【００１６】
【００１７】
〔解決手段８〕
上記課題を解決するために講じた本発明の他の技術手段は、前記作業パネルは、その操作面が前記運転座席側に向かうように、内側後方に向けて設けられているということである。
【００１８】
【００１９】
〔解決手段９〕
上記課題を解決するために講じた本発明の他の技術手段は、前記運転座席に対して前記作業パネルが存在する側にサイドパネルボックスが設けられ、前記サイドパネルボックスよりも前方側の高い位置に前記作業パネルが備えられている請求項１〜８のいずれか一項記載のコンバイン。
【００２０】
【００２１】
〔解決手段１０〕
上記課題を解決するために講じた本発明の他の技術手段は、前記フロントガラスは、前記運転キャビンの屋根部から前記運転座席の座面よりも下方にわたる範囲に設けられているということである。
【００２２】
〔解決手段１０にかかる発明の作用及び効果〕
上記の解決手段１０で示した構成によると、運転座席の前方側における前方視界を上下方向で広く確保することができるので、作業パネルがフロントピラーに設けられて運転キャビン内の前方側箇所に存在していることとの相乗によって、運転座席をできるだけ運転キャビン内での前方寄り位置に配設することができ、より一層運転キャビンの前方下方に対する視認性を向上させ得る利点がある。
〔解決手段１１〕
上記の解決手段１１で示した構成によると、前記左右一対のフロントピラーは、前記運転キャビンの床面の前端縁よりも前方側へ突出するように前傾姿勢で配設されているということである。
【図面の簡単な説明】
【００２３】
【図１】本発明に係る普通型コンバインの右側面図である。
【図２】本発明に係る普通型コンバインの左側面図である。
【図３】本発明に係る普通型コンバインの平面図である。
【図４】運転キャビンの右側面図である。
【図５】運転キャビンの正面図である。
【図６】運転キャビンの左側面図である。
【図７】運転キャビンの横断平面図である。
【図８】運転キャビンの縦断正面図である。
【図９】図８におけるIX−IX線断面図である。
【図１０】第１パネル部分を示す平面図である。
【図１１】第２パネル部分を示す背面図である。
【図１２】ステアリングレバー付近を示す背面図である。
【図１３】ステアリングレバー付近を示す側面図である。
【発明を実施するための形態】
【００２４】
以下、本発明を適用したコンバインの実施形態を図面の記載に基づいて説明する。
〔全体構成〕
図１乃至図３は本発明のコンバインの一例である普通型コンバインの全体を示している。
左右一対のクローラ式走行装置１０を備えた機体フレーム１１上に、脱穀装置２、穀粒タンク３、及び運転キャビン５を搭載した走行機体１の前部に、刈取搬送装置４を昇降操作自在に装備させて普通型コンバインが構成されている。前記機体フレーム１１上では、図３に示すように、右前部に運転キャビン５が配設され、その後方側の右後部に穀粒タンク３が設けられ、その穀粒タンク３の左方側である左後部に脱穀装置２が配設されている。
【００２５】
前記刈取搬送装置４は、前記脱穀装置２の前部から運転キャビン５の左横側方を通って前方へ延出された処理物搬送用のフィーダ４０と、そのフィーダ４０に対して被処理物を供給する刈取部４１、及び刈取部４１の上部で植立茎稈の穂先側を掻き寄せるリール装置４２とを備えている。刈取搬送装置４の最先端部の両側には、左右一対の分草具４３，４３がそれぞれ配備されている。
前記刈取部４１は、植立茎稈を刈り取るバリカン型の刈刃４１ａと、刈り取られることによって被処理物となった茎稈をフィーダ４０の入り口部４０ａ側へ向けて寄せ集めるための横送りオーガ４１ｂとを備え、前記フィーダ４０はチェーン式の掻き揚げコンベア４０ｂを内装している。
したがって、倒伏状態の茎稈はリール装置４２である程度掻き上げられ、刈刃４１ａで刈り取られた後、オーガ４１ｂでフィーダ４０の入り口部４０ａへ向けて搬送され、前記入り口部４０ａに到達した茎稈（被処理物）が掻き揚げコンベア４０ｂによってフィーダ４０の底面に沿って掻き揚げ搬送され、脱穀装置２の前端部に投入される。
【００２６】
前記刈取搬送装置４は、図２に示すように、機体フレーム１１上の固定箇所に対して水平方向の横軸心ｘ周りで上下揺動自在に枢支されていて、昇降用油圧シリンダ１２を伸縮操作することで、刈取部４１が地面に近接した刈取作業姿勢と、刈取部４１が地面から所定高さまで上昇した非刈取作業姿勢とに姿勢変更自在に構成されている。
【００２７】
前記脱穀装置２は、全稈投入型に形成されていて、前後方向に長い扱胴２０を備えて脱穀処理し、被処理物中の塵埃を後方から排出するとともに、脱穀された穀粒を含む被処理物を穀粒タンク３へ送り込むように構成されている。
穀粒タンク３では、脱穀装置２側から送り込まれた穀粒を含む被処理物を一時的に貯留し、穀粒タンク３から穀粒排出用オーガ３０を介して外部へ穀粒を含む被処理物が回収されるように構成されている。
【００２８】
前記運転キャビン５の下部には、図６に示すようにエンジンルーム１３が設けてあり、運転キャビン５内の運転座席５０の後方下方に位置する状態で左側から順にエンジン１４、及びラジエータ１５が配設されている。
エンジンルーム１３の右外側には、図４に示すように防塵カバー１６を配設してあり、右外側から外気を吸引するラジエータ１５が、吸気時に外部の塵埃等を吸入するのを防止するように構成してあり、ラジエータ１５を通過した吸入外気はエンジン１４を冷却したのち、エンジンルーム１３の左側方へ排気されるように構成してある。
【００２９】
〔運転キャビン〕
図４乃至図９に示すように、運転キャビン５は、機体フレーム１１に固設された支持材１１ａによって支持された床板５１の上面側に床面５Ａを備えており、前記床板５１の上側に四本の支柱５２が立設され、その支柱５２によって屋根部５３が支持されている。
上記四本の支柱５２のうち、機体前方側の左右一対の支柱５２ａ，５２ｂ（フロントピラーに相当する）は、床板５１の最下部の床面５Ａから立設されているが、左右の後方側の支柱５２ｃ，５２ｄは、床板５１のうち、運転座席５０の支持台及びボンネット隔壁を兼ねる床板上部５１ａから立設されている。
【００３０】
前記四本の支柱５２のうち、機体前方側の左右一対の支柱５２ａ，５２ｂ（フロントピラーに相当する）同士の間には、曲面ガラスで構成されたフロントガラス５４が設けてある。
このフロントガラス５４は前記床面５Ａから屋根部５３までの全範囲にわたって設けてあり、図９に示すように、前記床面５Ａの前縁よりも前方側へ膨出させてあるとともに、フロントガラス５４が、側面視で水平面に対する下方側部分の傾斜角度θ１よりも上方側部分での傾斜角度θ２が大きくなるように、下端側ほど後側に位置するように前側に凸状に湾曲した傾斜面に形成してある。
また、前記フロントガラス５４は、平面視でも、図７に示すように、左右方向での中央部箇所が左右方向での両端部箇所よりも前方側へ膨出する突曲形状に形成してある。したがって、フロントガラス５４は、単なる水平方向もしくは上下方向の何れかの軸線周りでの曲率を有した単曲面ではなく、上下方向と左右方向との互いに交差する複数の軸線周りでの曲率を有した複曲面によって構成されている。
【００３１】
上記フロントガラス５４の側面視での曲面形状は、図９に示すフロントガラス５４の上端よりも少し下方側の位置が最も機体前方側に位置する最大前方突出位置Ｐとなるように、一定曲率の曲面で形成されたフロントガラス５４の取付姿勢を定めたものであるが、このフロントガラス５４の側面視での曲率は、一定曲率のものに限らず、例えば、下方側部分の曲率が上方側部分の曲率よりも大きいもの、あるいは、逆に下方側部分の曲率が上方側部分の曲率よりも小さいもの等を採用することも可能である。
上記のように、フロントガラス５４の最大前方突出位置Ｐを、フロントガラス５４の上端よりも少し下方側の位置としているのは、運転キャビン５の前方下方を覗き込むとき、操縦者の頭部を最大限フロントガラス５４に近づける際に、この最大前方突出位置Ｐがフロントガラス５４の上端と一致している場合よりも、少しでも前方に近づけられるからである。
【００３２】
上記フロントガラス５４の平面視での曲面形状は、図７に示すように左右方向の全体にわたって一定の曲率で形成されたものではなく、両端部箇所近くの曲率が中央部箇所近くの曲率よりも大きくなっており、中央部箇所では直線に近い緩やかな湾曲面となっている。
ただし、これはあくまでも一例であり、前記フロントガラス５４の平面視での曲面形状を、左右方向の全体にわたって一定の曲率で形成したものを採用することも可能である。
【００３３】
前記フロントガラス５４の左右両端側に位置するところの、前記機体前方側の左右一対の支柱５２ａ，５２ｂは、図４及び図６に示すように、前記フロントガラス５４の横側端縁の形状に沿って、側面視でのフロントガラス５４の前記傾斜面の傾斜と同様な傾斜を有した形状のものに形成されている。
つまり、この支柱５２ａ，５２ｂは、側面視で水平面に対する下方側部分の傾斜角度θ１よりも上方側部分での傾斜角度θ２が大きくなるように形成されたフロントガラス５４の湾曲形状と同様に、下端側ほど後側に位置するように前側に凸状に湾曲した傾斜を有しており、前記運転キャビン５の床面５Ａへの取付箇所よりも上部側が前方側に位置するように設けてある。
【００３４】
運転キャビン５の横側面箇所のうち、右側面箇所では、右前方側の支柱５２ａと右後方側の支柱５２ｃとの間が、操縦者が乗り降りするための乗降口として形成されており、この乗降口を開閉するための乗降用ドア５５が右後方側の支柱５２ｃ側に設けたヒンジ５５ａを介して開閉操作自在に装着してある。
この乗降用ドア５５の機体前方側の端縁は、前記フロントガラス５４の傾斜面の傾斜と同様な傾斜を有した右前方側の支柱５２ａの湾曲形状に沿った端縁形状に形成してあり、この端縁部分では、下端側よりも上端側が大きく前方側へ張り出している。
【００３５】
この乗降用ドア５５は、図４に示すように、外周枠５５ｂを上下方向での中間位置で横切るように掛け渡された横桟部材５５ｃを境にして、下方側が一枚物の透明ガラス５５ｄによって構成され、上方側は前後一対の透明ガラス製の引き違い戸でスライド操作により開閉可能に構成されたドア窓５５ｅとなっている。
上記横桟部材５５ｃの上下方向の高さ位置は、運転キャビン５内の運転座席５０の座面５０ａよりも高く、後述する操作ボックス６の上面よりも低い高さ位置に設定してある。
尚、図４及び図５図中の符号５５ｇは、外方側から開閉操作する際に用いる取っ手であり、運転キャビン５の機体前方側の支柱５２ａに沿った傾斜姿勢で取り付けてある。
【００３６】
運転キャビン５の横側面箇所のうち、左側面箇所では、図６，７に示すように、左横側壁５６の一部に、左前方側の支柱５２ｂと左後方側の支柱５２ｄとの間で、かつ横側面箇所の上下方向の中間位置から上方側に、前後一対の透明ガラス製の引き違い戸でスライド操作により開閉可能に構成された横窓５６ａが設けてある。
この引き違い戸で構成された開閉可能な横窓５６ａは、下端側が前記操作ボックス６の上面や前記乗降用ドア５５の横桟部材５５ｃの上下方向高さよりも低く形成されていて、かつ運転キャビン５内の運転座席５０の座面５０ａよりも低い位置にあり、後述するサイドパネルボックス７のボックス主部７０の上面と同程度の高さに設定してあって、上端側は屋根部５３の下縁に達する上下方向高さ位置に設定してある。
【００３７】
運転キャビン５の側面部分のうち、前記乗降用ドア５５が設けられた右側面箇所の前記乗降用ドア５５よりも後方側の部分から、後側面箇所に至る箇所には、図４及び図７に示すように、右後方側の支柱５２ｃよりも後方側の右側面箇所の前記乗降用ドア５５よりも後方側の部分から、後側面箇所に至る箇所にわたって、運転キャビン５の右後方の角部相当箇所を見通し可能な透明ガラスを嵌め込んで、開閉不能な固定窓５７を構成してある。この固定窓５７及び固定窓５７が取り付けられた運転キャビン５の右後方角部の外壁は、図７に示すように湾曲した形状に形成されている。
また、運転キャビン５の後面側箇所では、図７、及び図９に示すように、後壁５８の一部に、前記固定窓５７が形成された箇所よりも左側で、かつ、運転座席５０のシートバック５０ｂの上端よりも上方側から屋根部５３の下縁にわたって、左右一対の透明ガラス製の引き違い戸でスライド操作により開閉可能に構成された後窓５８ａが形成されている。
【００３８】
前記四本の支柱５２によって支持される屋根部５３は、図４乃至図６に示されるように、その前面側部分がフロントガラス５４の上端部よりも前方側に突出した状態で設けてあり、この前面側部分で左右の端部と、その端部に近い位置とに、刈取部４１及び刈取部４１の前方を照らす前照灯５３ａが四基取り付けられている。
【００３９】
前記運転キャビン５の床面５Ａは、平面視におけるフロントガラス５４の下端縁の形状が、図７に示すように、左右方向での中央部箇所が左右方向での両端部箇所よりも前方側へ膨出する突曲形状であることから、その前縁形状が、フロントガラス５４の下端縁の形状に沿って、左右方向での中央部箇所が左右方向での両端部箇所よりも前方側へ膨出する突曲形状に形成されている。
これによって、運転座席５０も相対的に前方側へ寄せて配設することが可能となり、運転キャビン５の前方下方を覗き込む際に有利である。
【００４０】
図４、図５、及び図７に示すように、前記運転キャビン５の乗降用ドア５５を設けた側の横側面箇所の前側で、前記右前方側の支柱５２ａに対してキャビンガード５９を連設してある。このキャビンガード５９は、側面視でフロントピラーである右前方側の支柱５２ａの湾曲形状に沿って湾曲した形状の金属製パイプ材によって形成されていて、前記右前方側の支柱５２ａの下端部近くと上端部近くとにボルト連結されている。
そして、キャビンガード５９は、前記右前方側の支柱５２ａに対して、横外方側に所定間隔を隔てて位置する第１棒状ガード部５９ａと、さらにその第１棒状ガード部５９ａの前方側へ所定間隔を隔てて位置する第２棒状ガード部５９ｂとを有して構成されている。
このキャビンガード５９は、その第１棒状ガード部５９ａ、及び第２棒状ガード部５９ｂが、前記乗降用ドア５５を開放して操縦者が乗り降りする際に、手摺りとして把持しながら乗り降りすることが可能であるように十分な強度を有して、掴みやすい位置に設けてある。
【００４１】
上記のように構成されたキャビンガード５９に対して、図４及び図５に示すように、ウインカー９０が、左右方向で前記右前方側の支柱５２ａと第１棒状ガード部５９ａとの間に位置し、前後方向で第１棒状ガード部５９ａと第２棒状ガード部５９ｂとの間に位置し、かつ、上下方向で乗降用ドア５５の取っ手５５ｇよりも下方に位置する状態で第１棒状ガード部５９ａに装着してある。
また、上記のキャビンガード５９に対しては、図４及び図５に示すように、バックミラー９１が、前記第２棒状ガード部５９ｂの横外側で、かつ、上下方向では運転座席５０のシートバック５０ｂの上端と同程度、もしくはそれよりも高い位置に位置するように取り付けてある。
さらに前記キャビンガード５９の第１棒状ガード部５９ａの上端部箇所には、アンテナ９２が上方に向けて延出した状態で取り付けてある。
図５に示すように、フロントガラス５４の上部外面には、ワイパー９３が配設されている。
【００４２】
〔操縦部の構造〕
図７に示すように、操縦部である運転キャビン５の内部では、運転座席５０が左右方向でのほぼ中央に配設してあるとともに、前記運転座席５０の右前方側にステアリング操作等を行うための操作ボックス６が設けられ、運転座席５０の左側に変速操作等を行うためのサイドパネルボックス７が設けられ、さらに、このサイドパネルボックス７と前記左前方側の支柱５２ｂとに、作業関連情報を表示する表示用機器、あるいは作業関連装置に対する操作指令を入力するための操作指令具を配備した操作面を備える作業パネル８が分配して設けられている。
すなわち、作業パネル８は、サイドパネルボックス７の上面に操作面を沿わせて設けた第１パネル部分８０と、左前方側の支柱５２ｂに設けられ操作面が上下方向に沿う第２パネル部分８１とによって構成されている。
【００４３】
運転座席５０は、座面５０ａとシートバック５０ｂとを備えている。また、この運転座席５０の右横側部には、図４、図７、及び図９に示すように、乗降用ドア５５を開放して運転キャビン５内に乗り込む際に、操縦者が掴んで身体を引き上げながら機上へ上がる際の補助として用いることができるように乗降用取っ手５０ｃを設けてある。
この乗降用取っ手５０ｃは、図７及び図９に示すように、運転キャビン５内の床板上部５１ｂにおける運転座席５０の搭載箇所とその背部側に立設されている箇所とにわたって設けられた側面視で逆Ｌ字型の取付部材５１ｄに対して取り付けられた側面視でコの字状の部材によって構成してある。
【００４４】
〔操作ボックス〕
運転キャビン５の右横側端部に設けられる操縦操作用の操作ボックス６は、図７、図８、及び図１１、図１２に示されるように、ボックス本体６０の上面側にステアリングレバー６１、コンビネーションスイッチ６２、及びキースイッチ６３が装備されている。
そして、このボックス本体６０には、その下面側に下端部を固定した状態でボックス本体６０の左側面に沿って後方上方へ延出されるとともに、ボックス本体６０の後方側箇所で水平右横方向に延出されたアームレスト６４が取り付けられている。したがって、アームレスト６４に操縦者の手首を乗せた状態でステアリングレバー６１の前後左右の揺動操作を安定良く行えるように構成してある。
また、操作ボックス６のボックス本体６０は、運転座席５０の右前方側で、運転キャビン５の乗降用ドア５５が設けられた側である右前方側の支柱５２ａに対して、取付部材６ａを介して片持ち状に固定支持されている。
【００４５】
前記操作ボックス６は、そのボックス本体６０が支柱５２ａに支持された状態で、平面視でボックス本体６０の前側に、運転キャビン５の左右方向での端部側ほど前方寄りで運転キャビン５の左右方向での中央側ほど後方寄りとなるように傾斜した前面６０ａを備え、後側にも、平面視で運転キャビン５の左右方向での端部側ほど前方寄りで運転キャビン５の左右方向での中央側ほど後方寄りとなるように傾斜した後面６０ｂを備えている。
これによって、運転座席５０に搭座した操縦者がボックス本体６０を見たときのボックス本体６０の水平方向幅が短く見えるようになる。
【００４６】
つまり、例えば図８に仮想線で示すように、前面側が機体前方側に向き、後面側が機体後方側に向く単なる矩形のものでボックス本体６０が構成されていれば、運転座席５０側からみるボックス本体６０の水平方向幅は、ボックス本体６０の前面側における運転キャビン５の左右方向での中央側の角部と、ボックス本体６０の後面側における運転キャビン５の左右方向での端部側の角部とを結ぶ対角方向の長さに相当する幅広のものとなる。
上記のボックス本体６０は、このような矩形状のボックス本体６０ではなく、前述したように、運転キャビン５の左右方向での端部側ほど前方寄りで運転キャビン５の左右方向での中央側ほど後方寄りとなるように傾斜した前面６０ａと、平面視で運転キャビン５の左右方向での端部側ほど前方寄りで運転キャビン５の左右方向での中央側ほど後方寄りとなるように傾斜した後面６０ｂとを備えている。
したがって、平面視で操縦者の存在位置となる運転座席５０の座面５０ａの中央位置Ｏを視点として、この中央位置Ｏからボックス本体６０の左右方向の端部への投影線Ｌ１，Ｌ２は、前述した矩形状のボックス本体６０（図７中の仮想線参照）の左右方向の端部への投影線Ｌ１’，Ｌ２’よりも幅の狭いものとなる。これによって、操縦者の視界を広く確保できるようになる。
【００４７】
前記ボックス本体６０の上面側に設けられるステアリングレバー６１とコンビネーションスイッチ６２とは、前記ステアリングレバー６１が運転座席５０に近い後方側寄りに位置し、前記コンビネーションスイッチ６２が前記ステアリングレバー６１よりも運転座席５０から遠い前方側寄りに設けられている。
前記操作ボックス６の取付位置は、図４，５，８に示すように、運転座席５０の座面５０ａよりも高い位置で、かつ、前記アームレスト６４の手首をのせる部位よりも少し低い位置にボックス本体６０の上面が位置するように設けてある。
また、この操作ボックス６の平面視での位置は、図７及び図８に示されているように、操作ボックス６に設けてある操向操作用のステアリングレバー６１が、運転座席５０の前方よりも少し右外側に外れて位置している。
つまり、前記ステアリングレバー６１が運転座席５０の直前方位置から左右方向での横一側方に外れた位置の運転キャビン５内に配設されたことにより、操縦操作用の操作具に相当する前記ステアリングレバー６１や、ステアリングレバー６１を取り付けるための支持構造に相当するものであるボックス本体６０等が運転座席５０の直前位置からは除外され、直前方の前方視界を遮るものがほとんどなくなるので、前記運転座席５０とその直前方位置のフロントガラス５４の下方との間に運転キャビン５の前方側下方を見通し可能な空間部Ｓ０が存在した状態となる。これによって、運転座席５０に搭座した状態での運転キャビン５の前方下方の視認性を向上させることができたものである。
【００４８】
そして、前記操作ボックス６は、図４乃至図７、及び図１２，１３に示されるように、側面視で運転キャビン５の右前方側の支柱５２ａの下端よりも機体前方側に位置するように配設されている。したがって、運転キャビン５への乗降時には、前記運転キャビン５の右前方側の支柱５２ａの下端よりも機体後方側に存在する運転キャビン５内の床面５Ａの上方に存在する領域に対して乗り降りするものであるところの操縦者が、前記領域から外れた前方側に設けてある操作ボックス６に接触する可能性は少なくて済む。
【００４９】
操向操作用のステアリングレバー６１は、前後左右の十字方向に揺動操作が可能であるようにボックス本体６０に支持させてある。そして、ステアリングレバー６１の操作位置は、ボックス本体６０に内装されている図示しない位置検出体によって検出されるものであり、ステアリングレバー６１の操作位置をリンク機構などの機械的連係機構で操向機構などに連係させるような構造のものではなく、ボックス本体６０内の各機器は導電線や信号線からなるハーネス６６を介して連係対象の装置と連係されている。
【００５０】
上記のステアリングレバー６１を右方向に揺動操作すると、ボックス本体６０に内装されている図示しない位置検出体の検出結果に基づいて、クローラ式走行装置１０が右方向に旋回するように操向操作され、ステアリングレバー６１を左方向に揺動操作すると、ボックス本体６０に内装されている図示しない位置検出体の検出結果に基づいて、クローラ式走行装置１０が左方向に旋回するように操向操作される。
また、ステアリングレバー６１を前方に揺動操作すると、ボックス本体６０に内装されている図示しない位置検出体の検出結果に基づいて、フィーダ４０及び刈取部４１が、ステアリングレバー６１の操作位置に対応した速度で下降する。同様に、ステアリングレバー６１を後方に揺動操作すると、フィーダ４０及び刈取部４１が、ステアリングレバー６１の操作位置に対応した速度で上昇する。中立位置からの揺動操作量が多い程、下降速度または上昇速度が速くなる。ステアリングレバー６１の揺動操作を止めて中立位置に保持すると、フィーダ４０及び刈取部４１はその位置で停止する。
【００５１】
前記操作ボックス６に装備されているコンビネーションスイッチ６２は、図１２及び図１３に示すように、中央の押しボタン６２ａを押すことで警報用のフォーンを鳴らし、押しボタン６２ａの周部に備えたレバー６２ｂを回動操作することで前照灯５３ａの入り切り操作を行うように構成されている。
さらに前記操作ボックス６には、キーを差し込んでエンジン１４を始動及び停止可能なスタータスイッチを操作するためのキースイッチ６３も装備されている。
【００５２】
図１２及び図１３に示すように、前記操作ボックス６に導入される導電線、及び信号線などのハーネス６６は、運転キャビン５の右前方側の支柱５２ａに沿って、その支柱５２ａとは別個に運転キャビン内部に配設されたハーネスカバー６５に内装されている。
したがって、ハーネス６６の配線や点検等の必要が生じた場合には、前記支柱５２ａを分解するような作業を要さず、ハーネスカバー６５を着脱あるいは分解することで簡単に内部のハーネス６６に対する作業を行うことができる。
【００５３】
〔サイドパネルボックス〕
運転キャビン５内での運転座席５０の左横側部には、図７乃至図９に示すようにサイドパネルボックス７が設けられている。
このサイドパネルボックス７は、図８及び図９に示すように、その上面が前記運転座席５０の座面５０ａよりも低く形成されているとともに、走行用の主変速レバー７２等が配設されたボックス主部７０と、前記ボックス主部７０の前端側に位置して計器類が配設された計器類配置部７１とを備えている。
【００５４】
前記ボックス主部７０は、運転座席５０から遠い側で走行用の主変速レバー７２や副変速レバー７３などの各種レバー類が配設された外側部分７０Ａと、運転座席５０に近い側で各種の操作スイッチやダイヤル操作具等を備えた第１パネル部分８０が配設されている内側部分７０Ｂとを備えている。
この内側部分７０Ｂに備えた各種の操作スイッチやダイヤル操作具を備えた部分が、後述する作業パネル８の作業関連情報を表示する表示用機器、あるいは作業関連装置に対する操作指令を入力するための操作指令具を配備した第１パネル部分８０を構成している。
前記主変速レバー７２及び副変速レバー７３などの各種レバー類の握り部は前記座面５０ａよりも高い位置にあるように取り付けられている。
【００５５】
前記ボックス主部７０では、運転座席５０から遠い側の外側部分７０Ａに、機械的連係機構（図示せず）を介して各種関連装置（図外）に連係される走行用の主変速レバー７２や副変速レバー７３などの各種レバー類を配設してあり、その外側部分７０Ａよりも運転座席５０に近い側の内側部分７０Ｂに、機械的連係機構を用いずに電気的に各種関連機器と接続されるところの前記第１パネル部分８０が配設されている。
そして、図８、９、及び図１０に示すように、前記外側部分７０Ａは運転キャビン５の床板５１から立設された箱状に形成されているものであるが、前記内側部分７０Ｂは、外側部分７０Ａの上部から運転座席５０側に張り出すように膨出形成してあり、その内側部分７０Ｂの下方側には、前記運転座席５０から離れる方向に凹入するに凹入空間Ｓ２を設けてある。
【００５６】
上記外側部分７０Ａに設けられる主変速レバー７２や副変速レバー７３などの各種レバー類は、図５及び図９に示すように、その握り部近くが、運転キャビン５の左側面箇所の左横側壁５６、もしくは横窓５６ａから離れて運転座席５０が存在する側へ近づくように傾斜させてある。
つまり、前記外側部分７０Ａの上面のレバーガイドから上向きに突出した主変速レバー７２のレバー基部が前方右方に屈曲し、前記外側部分７０Ａの上面のレバーガイドから上向きに突出した副変速レバー７３などのレバー基部が運転座席５０側に屈曲している。
【００５７】
前記計器類配置部７１では、通常の刈取脱穀作業中に目視する頻度の高い計器類を備えた計器表示部７１ａが樹脂製のケースに収容された状態で設けてあり、メータパネルとして機能するものであり、前記ボックス主部７０の機体前方側の端部に一体的に取り付けてある。
前記計器表示部７１ａでは、例えば、中央部に実際の作業車速を表示する作業速度計やエンジン回転数からの負荷を表示する負荷表示メータなどが設けられ、その両側には、例えばエンジン回転計や燃料計が設けられている。
この計器類配置部７１は、各種計器部分を液晶などの画像表示手段で表示するようにしたものであってもよい。
【００５８】
図６及び図９に示されるように、前記計器類配置部７１は、上下方向の厚みが前記ボックス主部７０と比べると薄いものであり、上面はボックス主部７０と同一面上にあるようにボックス主部７０の前端上部から斜め右方前方側へ片持ち状に連設されている。
したがって、計器類配置部７１の下面と運転キャビン５の床面５Ａとの間には上下方向での間隔が生じ、また、ボックス主部７０の前端縁７０ａと前方のフロントガラス５４の内面との間にも前後方向での間隔が生じている。つまり、前記計器類配置部７１の下側に相当する箇所には、運転座席５０側からサイドパネルボックス７が存在する側の運転キャビン５の側部下方を目視可能な開放空間Ｓ１が形成されている。
前記ボックス主部７０の前端縁７０ａは、図６及び図９に示されるように、フロントガラス５４の内面の傾斜に沿って、下方側ほど機体後方側に位置するように傾斜する形状に形成されている。
【００５９】
前記ボックス主部７０の前端部から延出される計器類配置部７１は、図７及び図９に示されるように、前記フロントガラス５４の両端側に位置する機体前方側の左右一対の支柱５２ａ，５２ｂの下端、及び運転キャビン５の床面５Ａの前縁よりも機体前方側へ延出されている。
そして、この計器類配置部７１は、前記ボックス主部７０の前端部から前方側へ延出されている前縁側がフロントガラス５４の背面に沿うように屈曲形成されて、平面視では、運転座席５０に近い後方側が直線的な側縁を有し、フロントガラス５４に近い前方側がフロントガラス５４の内面形状に近い湾曲した側縁を備えている。
さらに、この計器類配置部７１は、図７乃至図９に示すように、計器類配置部７１の上面が、水平面に対して運転座席５０に対する遠近方向で、運転座席５０に近い側よりも遠い側ほど上方に位置する傾斜姿勢に設けてあり、かつ、ボックス主部７０の前端部からの延出方向で、計器類配置部７１の延出端側ほど下方側に位置する先端下がりの傾斜姿勢に設けてある。
【００６０】
これによって、前記計器類配置部７１を、例えば、その計器表示部７１ａで各種計器部分が機体前後方向に並べて配設してある構造のものに比べ、前記計器表示部７１ａでの各種計器部分がフロントガラス５４の背面に沿う方向で並ぶ状態となる。このため、前述のように各種計器部分が機体前後方向に並ぶ構造のものに比べ、運転座席５０から各計器部分が配置されている箇所までの距離の差を少なくし得て、機体前方側に位置するものほど運転座席５０からの距離が遠くなって見難いというような不具合を招くことなく、目視し易くなる利点がある。
さらに、前記計器類配置部７１の計器表示部７１ａが水平面に対して運転座席５０に近い側よりも遠い側ほど上方に位置する傾斜姿勢に設けてあることでより一層目視し易くなり、また、図８及び図９に示すように、ボックス主部７０の前端部からの延出方向で、計器類配置部７１の延出端側ほど下方側に位置する先端下がりの傾斜姿勢に設けてあることにより、運転座席５０の直前方の視界をより広く確保し易い点でも有利である。
それでいて、前記計器類配置部７１はボックス主部７０側から片持ち状で延出され、計器類配置部７１の下側には前記開放空間Ｓ１が存在し、計器類配置部７１の下側に前方視界を遮るものが存在していないので、運転座席５０側から計器類配置部７１の下側を通して運転キャビン５の前方側の側部下方をも目視し易いものである。
【００６１】
前記内側部分７０Ｂは、図７に示すように、その機体前方側の前端縁部７６が、前記外側部分７０Ａと、これに接続される計器類配置部７１との接続箇所７５よりも機体後方側に位置するように形成されている。また、この内側部分７０Ｂの前端縁部７６は、運転座席５０に近づく側ほど後方に位置するように平面視で傾斜した形状に形成されている。
これによって、前記内側部分７０Ｂの前端縁部７６と前記計器類配置部７１の内向きの側縁との間で、計器類配置部７１とボックス主部７０との接続箇所７５を含んでその前後に位置するキャビン室内側の側縁部分に、平面視で運転座席５０から離れる方向に凹入する形状の凹入部Ｓ３が形成されている。
このように、計器類配置部７１とボックス主部７０との接続箇所７５を含む位置のキャビン室内側の側縁部分に凹入部Ｓ３が形成されたことで、計器類配置部７１やボックス主部７０よりも高い位置である運転座席５０に塔座している操縦者の視点から、運転キャビン５の前方側の側部下方をさらに目視し易くすることができる。
【００６２】
また、前記凹入部Ｓ３が形成された箇所と平面視で重合する運転キャビン５の床面５Ａ上には、図７乃至図９に示すように、駐車ブレーキペダル９４が配設されている。
これによって、運転座席５０に搭座する操縦者が駐車ブレーキペダル９４を踏み込む際に、運転座席５０の座面５０ａよりも低い位置にあるサイドパネルボックス７の存在によって邪魔されることなく、前記凹入部Ｓ３に脚部を入り込ませた状態で駐車ブレーキペダル９４を踏み込み操作することができる。
【００６３】
〔作業パネル〕
作業関連情報を表示する表示用機器、あるいは作業関連装置に対する操作指令を入力するための操作指令具を配備した操作面を備える作業パネル８は、図５乃至図１１に示すように、前記サイドパネルボックス７の上面に設けられた第１パネル部分８０と、左前方側の支柱５２ｂ（サイドパネルボックス７とは別に設けてある運転キャビン５内の固定部に相当する）に設けられた第２パネル部分８１とで構成されている。
【００６４】
前記第１パネル部分８０は、サイドパネルボックス７のボックス主部７０の上面で、運転座席５０に近い側の内側部分７０Ｂに設けてあり、ボックス主部７０の上面に沿う操作面を備えている。この操作面に、手動操作式の機体姿勢制御スイッチ８２、自動姿勢制御スイッチ８３、及び手動操作によるダイヤル操作式のオートアクセル設定器８４等が配備されている。
【００６５】
前記手動操作式の機体姿勢制御スイッチ８２は、右上げスイッチ８２ａ、水平スイッチ８２ｂ、左上げスイッチ８２ｃ、及び上昇スイッチ８２ｄ、下降スイッチ８２ｅを備え、自動姿勢制御スイッチ８３が入り状態であるときには、前記自動制御の目標となる位置を設定するものであり、自動姿勢制御スイッチ８３が切り状態であるときには、右上げスイッチ８２ａ、水平スイッチ８２ｂ、左上げスイッチ８２ｃの各スイッチを押し操作している間だけ機体右上がり、水平、あるいは左上がりに制御し、スイッチの押し操作をやめるとその位置で停止するように構成されている。
そして、前記上昇スイッチ８２ｄ、及び下降スイッチ８２ｅは、自動姿勢制御スイッチ８３が入り状態であるときには、この上昇スイッチ８２ｄ、又は下降スイッチ８２ｅが押し操作されている間だけ機体全体を上昇又は下降させ、スイッチの押し操作をやめると下限位置まで機体が下降するように制御される。自動姿勢制御スイッチ８３が切り状態であるときには、この上昇スイッチ８２ｄ、又は下降スイッチ８２ｅが押し操作されている間だけ機体全体を上昇又は下降させ、スイッチの押し操作をやめるとその位置で機体を保持するように制御される。
【００６６】
前記自動姿勢制御スイッチ８３は、機体の左右の自動水平制御を入り切り操作するものであり、入り操作で機体の左右の自動水平制御を行い、その自動水平制御を行いながらの作業が行われた後に、図示されていない脱穀クラッチ又は刈取クラッチを切り操作するか、あるいは自動姿勢制御スイッチ８３を再び押して切り状態に操作することによって、機体を下限位置まで下降させるように構成されている。
【００６７】
前記オートアクセル設定器８４は、エンジン回転数をダイヤルで設定した回転数まで上昇させるためのものであり、このオートアクセル設定器８４が入り状態であるときに、脱穀クラッチ、又は刈取クラッチを入り操作する、又は機体走行を開始すると、自動的に設定された回転数までエンジン回転を上昇させるように制御する。オートアクセル設定器８４が切り状態であるときには、常にダイヤルで設定された回転数で駆動されるように構成してある。
【００６８】
前記第２パネル部分８１は、図６及び図９に示すように、左前方側の支柱５２ｂの上下方向での中間部に位置し、操作面が前記支柱５２ｂの上下方向と平行であるように、上下方向に沿って設けられている。
つまり、上下方向では、図８及び図９に示されているように、第２パネル部分８１は、その下端側がサイドパネルボックス７の上面に操作面を沿わせて設けた第１パネル部分８０や、運転座席５０の座面５０ａよりも高い位置にあり、かつ上端側は、サイドパネルボックス７の上面側で上方に突出している主変速レバー７２の握り部７２ａ、及び操作ボックス６に設けたステアリングレバー６１の握り部よりも高い位置にある。
【００６９】
この第２パネル部分８１の前後方向での位置は、図６乃至図９に示されているように、サイドパネルボックス７の前方側箇所であるところの、前記主変速レバー７２よりも前方側における左前方側の支柱５２ｂに設けられている。
そして、この第２パネル部分８１の水平方向での位置は、図７に示されているように、サイドパネルボックス７の前方側箇所で、前記主変速レバー７２よりも前方側において、運転座席５０の座面５０ａの中央位置Ｏから前記第２パネル部分８１への投影方向で前記左前方側の支柱５２ｂと重複する状態で左前方側の支柱５２ｂに取り付けられている。
つまり、図７に示すように、第２パネル部分８１は、その操作面が前記運転座席５０側に向かうように、運転キャビン５の斜め後方側の中央部に向けた状態で支柱５２ｂに取り付けてあり、前記運転座席５０の座面５０ａの中央位置Ｏから前記第２パネル部分８１の左右各側縁への投影線Ｌ３，Ｌ４の間に位置する範囲と重複する箇所に前記左前方側の支柱５２ｂが存在する状態で取り付けられている。
また、この第２パネル部分８１が配設された位置は、図３に示すように、前記運転座席５０の座面５０ａの中央位置Ｏと、サイドパネルボックス７が存在する側である左側の分草具４３とを結ぶ線分Ｌ５上に相当する位置である。
【００７０】
また、この第２パネル部分８１は、左右方向幅が支柱５２ｂの左右方向幅よりも少し広く形成してあり、かつ上下方向長さは左右方向幅よりも数倍大きい寸法に形成された縦長形状のものである。
そして、運転キャビン５の室内側に向く操作面に作業関連情報を表示する表示用機器、あるいは作業関連装置に対する操作指令を入力するための操作指令具が装備されるものであるが、この操作面の向きは、図７に示すように、運転座席５０の座面５０ａの中央位置Ｏに対して、平面視でも、側面視でも垂直な面で構成されているのではなく、平面視では操作面に対する垂直線が前記座面５０ａの中央位置Ｏの外側に少し外れるように内側後方向きの面で構成されている。
また、側面視では、操作面に対する垂直線が水平線に対して少し上向きとなるように、支柱５２ｂの前方斜め上方に傾斜する部位に取り付けてあって、上向きの面で構成されている。
【００７１】
第２パネル部分８１の操作面には、作業関連情報を表示する表示用機器、あるいは作業関連装置に対する操作指令を入力するための操作指令具として、刈取関連操作具８５、リール変速操作具８６、及び脱穀関連操作具８７が、操作頻度、あるいは目視頻度を考慮して、この順で上方から頻度の高い順番に備えられている。
【００７２】
前記刈取関連操作具８５は、自動刈高さスイッチ８５ａと、刈高さ調節ダイヤル８５ｂと、対地平行自動スイッチ８５ｃと、オートクラッチ切換スイッチ８５ｄとを備えて構成されている。
【００７３】
前記自動刈高さスイッチ８５ａは、刈取作業中における刈高部の高さを一定に保つための自動刈高さ制御の入り切りをするためのスイッチであり、押し操作の都度、入り状態と切り状態とが切り替わり、入り状態であるときに表示ランプが点灯するように構成されている。
刈高さ調節ダイヤル８５ｂは、刈取部４１の高さ調節を行うダイヤル操作具であり、時計方向に回すと刈高さが高くなり、反時計方向に回すと低くなるように構成されている。
対地平行自動スイッチ８５ｃは、刈取部４１を自動的に地面に対して平行となるように姿勢変更する対地平行自動制御を入り切り操作するためのスイッチであり、押し操作の都度、入り状態と切り状態とが切り替わり、入り状態であるときに表示ランプが点灯するように構成されている。
オートクラッチ切換スイッチ８５ｄは、パワーステアリングレバーを操作して刈取部４１が地面から予め設定された高さまで上昇すると刈取搬送装置４の駆動を停止し、その後、予め設定された高さまで下降すると再度刈取搬送装置４の駆動を開始するように刈取オートクラッチ（図外）を入り切り操作するためのスイッチであり、押し操作の都度、入り状態と切り状態とが切り替わるとともに、入り状態を示す表示ランプと、切り状態を示す異なる色の表示ランプとを備えている。
【００７４】
リール変速操作具８６は、リール変速自動スイッチ８６ａと、リール変速調節ダイヤル８６ｂとを備えて構成されている。
【００７５】
前記リール変速自動スイッチ８６ａは、刈取作業中のリール装置４２の回転数を刈取速度（機体の走行速度）に応じて自動的に最適なリール回転数となるように、自動リール回転制御を入り切りするためのスイッチであり、押し操作の都度、入り状態と切り状態とが切り替わり、入り状態であるときに表示ランプが点灯するように構成されている。
リール変速調節ダイヤル８６ｂは、作物の刈り取り方向や倒伏状態に応じて、刈取速度に対する基準となるリール回転数の調整を行うためのダイヤルであり、時計回りに回すと高くなり、反時計回りに回すと低くなるように構成してある。
【００７６】
脱穀関連操作具８７は、作物選択スイッチ８７ａと、チャフ調節ダイヤル８７ｂとを備えて構成されている。
【００７７】
作物選択スイッチ８７ａは、作物の種類に合わせて扱胴２０の駆動速度などの脱穀条件を選択するためのスイッチであり、作物選択スイッチ８７ａを押すと、順に「稲」、「麦」、「豆」の順番で表示状態が切り替わり、選択された作物を示すランプが点灯する。
チャフ調節ダイヤル８７ｂは、シーブケース（図外）内におけるチャフシーブ（図外）の開度調節を行うためのダイヤルであり、時計方向に回すと開度が大きくなり、反時計方向に回すと開度が小さくなるように構成されている。
【００７８】
上記第２パネル部分８１に備えられた刈取関連操作具８５、リール変速操作具８６、及び脱穀関連操作具８７に対する通電用のハーネスは、図示しないハーネスカバーを介してサイドパネルボックス７内に導かれ、所要の関連機器と接続されている。
【００７９】
〔その他〕
上記のように構成された普通型コンバインでは、フロントガラス５４が単なる扁平ガラスではなく、水平面に対して下方側部分よりも上方側部分での傾斜角度が大きい傾斜面を有した湾曲形状に形成されているので、運転キャビン５の室内側から前方下方の覗き込みを良好に行うことができ、かつ、運転キャビン５内で運転座席５０の左側に配設されるサイドパネルボックス７の前部に位置する計器類配置部７１と運転キャビン５の床面５Ａとの間に開放空間Ｓ１を形成して、図８に示すように運転座席５０から左右方向の視野β１を、前記開放空間Ｓ１が形成されない場合の視野β２に比べて広く確保することができる。
これによって、図３に示すように、刈取搬送装置４の刈取部４１における右端（既刈り側）で、運転キャビン５と刈取部４１との間から刈取搬送装置４の通過後における地面の刈り残しの有無を見るための一つのチェックポイントＣＰ１、及び、刈取部４１からフィーダ４０への受け継ぎ箇所での受け継ぎ状態が良好であるか否かを確認するための他のチェックポイントＣＰ２での目視を行い易くなっている。
【００８０】
〔別実施形態の１〕
フロントガラス５４は、実施の形態で示したように、上下方向と左右方向との互いに交差する複数の軸線周りでの曲率を有した複曲面によって構成されたものに限らず、例えば水平方向の軸線周りでの曲率を有した単曲面で構成されたものであってもよい。
この場合、運転キャビン５の床面５Ａの前端縁は直線形状になるが、機体前方側の左右一対の支柱５２ａ，５２ｂ（フロントピラーに相当する）は、フロントガラス５４の左右方向の両端縁形状に沿って、側面視で水平面に対する下方側部分の傾斜角度θ１よりも上方側部分での傾斜角度θ２が大きくなるように湾曲した形状となるように形成すればよい。
その他の構成は前述した実施形態のものと同様である。
【００８１】
〔別実施形態の２〕
フロントガラス５４は、実施の形態で示したように、上下方向と左右方向との互いに交差する複数の軸線周りでの曲率を有した複曲面によって構成されたもの、あるいは単曲面で形成されたものに限らず、例えば、側面視で水平面に対する下方側部分の傾斜角度θ１よりも上方側部分での傾斜角度θ２が大きい屈折形状となるように、複数の扁平ガラスを組み合わせて形成してもよい。
この場合も、運転キャビン５の床面５Ａの前端縁は直線形状になるが、機体前方側の左右一対の支柱５２ａ，５２ｂ（フロントピラーに相当する）は、フロントガラス５４の左右方向の両端縁形状に沿って、側面視で水平面に対する下方側部分の傾斜角度θ１よりも上方側部分での傾斜角度θ２が大きくなるように屈折した形状となるように形成すればよい。
その他の構成は前述した実施形態のものと同様である。
【００８２】
〔別実施形態の３〕
上記実施形態では、フロントガラス５４を屋根部５３から床面５Ａに達する範囲に設けたものであるが、これに限られるものではなく、例えば、フロントガラス５４の下端が運転座席５０の座面５０ａよりも下側で前記床面５Ａよりも高い位置にまで達する範囲としてもよい。
この場合、フロントガラス５４の下端が床面５Ａに達する範囲にまで設けたものに比べれば運転キャビン５の前方下方側の視野は狭くなるが、フロントガラス５４が単なる扁平ガラスではなく、側面視で水平面に対する下方側部分の傾斜角度θ１よりも上方側部分での傾斜角度θ２が大きくなるような傾斜を有したものであることによって、運転座席５０を運転キャビン５内でかなり前方側へ配設できるものであるから、フロントガラス５４が着座した操縦者の腰部付近にまでしか達していないような構造のものと比べて、運転キャビン５の前方下方側の視野をかなり大きく確保して、運転キャビン５の直前の下方に近い側まで操縦者は視線を落とすことができる。
その他の構成は前述した実施形態のものと同様である。
【００８３】
〔別実施形態の４〕
作業パネル８は、サイドパネルボックス７の上面側に設けた第１パネル部分８０とフロントピラーに相当する左前方側の支柱５２ｂに支持させた第２パネル部分８１との組み合わせで構成されたものに限らず、例えば、サイドパネルボックス７に設けずに、フロントピラーに相当する左前方側の支柱５２ｂに支持させた構造のみによって構成してもよい。
この場合、作業パネル８を、第１パネル部分８０と第２パネル部分８１とに区分して設けてもよいが、特に区分しなくて単一のパネル部分の操作面に、作業関連情報を表示する表示用機器、あるいは作業関連装置に対する操作指令を入力するための操作指令具の少なくともいずれか一方の複数種のものが組み込まれたパネルユニットによって構成したものであってもよい。
その他の構成は前述した実施形態のものと同様である。
【００８４】
〔別実施形態の５〕
第２パネル部分８１は、実施の形態で示したように、フロントピラーに相当する左前方側の支柱５２ｂに支持させた構造のものに限らず、例えば、右前方側の支柱５２ａに支持させた構造のものであってもよい。
このように第２パネル部分８１を右前方側の支柱５２ａに支持させる場合には、第２パネル部分８１は操作ボックス６のボックス本体６０の上面よりも上方側に設けるのが望ましい。
また、このように第２パネル部分８１を右前方側の支柱５２ａに支持させた構造であると、特に自脱型コンバインでは、刈取対象茎稈の刈り残しの有無を確認するために刈取部４１の右側を注目しながら作業する場合に、近くにある第２パネル部分８１を操作する際に便利である。
その他の構成は前述した実施形態のものと同様である。
【００８５】
〔別実施形態の６〕
第２パネル部分８１の操作面は、実施の形態で示したように、下端側がサイドパネルボックス７の上面よりも高い位置にあり、上端側は、サイドパネルボックス７の上面側で上方に突出している主変速レバー７２の握り部７２ａ、及び操作ボックス６に設けたステアリングレバー６１の握り部よりも高い位置にあるというものに限らず、例えば、次のように構成されたものであってもよい。
つまり、操作面の全体が主変速レバー７２の握り部７２ａの上端よりも上側に位置するようなものであっても、その操作面の下端部が主変速レバー７２の握り部７２ａと同程度とみられる程度であれば多少上方側に位置していてもよい。
また、操作面の全体が主変速レバー７２の握り部７２ａの上端よりも下側に位置するようなものであっても、その操作面の上端部が主変速レバー７２の握り部７２ａと同程度とみられる程度であれば多少下方側に位置していてもよい。
その他の構成は前述した実施形態のものと同様である。
【００８６】
〔別実施形態の７〕
第２パネル部分８１は、その操作面が、実施の形態で示したように、運転座席５０の座面５０ａの中央位置Ｏから第２パネル部分８１の左右各側縁への投影線Ｌ３，Ｌ４の間に位置する範囲と重複する箇所に、左前方側の支柱５２ｂが存在する状態で取り付けられているものに限らず、例えば、前記左前方側の支柱５２ｂが前記左右各側縁への投影線Ｌ３，Ｌ４の左右何れかの外側へ部分的にはみ出している、もしくは左前方側の支柱５２ｂの全体が前記左右各側縁への投影線Ｌ３，Ｌ４の左右何れの外側、あるいは両外側に位置しているものであってもよい。
その他の構成は前述した実施形態のものと同様である。
【００８７】
〔別実施形態の８〕
第２パネル部分８１は、その操作面が、実施の形態で示したように、平面視では操作面に対する垂直線が前記座面５０ａの中央位置Ｏの外側に少し外れるように内側後方向きの面で構成されているものに限らず、例えば、前記操作面に対する垂直線が前記座面５０ａの中央位置Ｏと一致する状態、もしくは、操作面に対する垂直線が、前記座面５０ａの中央位置Ｏの外側とは逆に、前記座面５０ａの中央位置Ｏの内側に外れるように、より内向きの面で構成されたものであってもよい。
また、側面視では、操作面に対する垂直線が水平線に対して少し上向きとなるように、上向きの面で構成されているものに限らず、操作面に対する垂直線が水平線と平行であるように水平方向に向く面、もしくは、操作面に対する垂直線が水平線に対して少し下向きとなるように下向きの面に構成されたものであってもよい。
その他の構成は前述した実施形態のものと同様である。
【００８８】
〔別実施形態の９〕
第２パネル部分８１は、実施の形態で示したように、操作面に、作業関連情報を表示する表示用機器、あるいは作業関連装置に対する操作指令を入力するための操作指令具として、刈取関連操作具８５、リール変速操作具８６、及び脱穀関連操作具８７を、この順で上方から順番に備えたものであるが、これに限らず、例えば、その配置の順を変更したり、一部を省略したり、別の操作具を付設してもよい。
また、操作指令を入力するための操作指令具を備えずに表示ランプや液晶表示などの表示用機器のみを備えるように構成してもよく、また、操作指令具のみを備えるように構成してもよい。
その他の構成は前述した実施形態のものと同様である。
【産業上の利用可能性】
【００８９】
本発明に係るコンバインの構成は、実施の形態で示したような普通型コンバインに限らず自脱型コンバインにも適用可能であり、また、稲、麦等の穀物を収穫するコンバインに限らず、大豆などの豆類や菜種などを収穫するコンバインに適用してもよい。
【符号の説明】
【００９０】
５                運転キャビン
７                サイドパネルボックス
８                作業パネル
５０              運転座席
５０ａ            座面
５２ａ，５２ｂ    フロントピラー
５３              屋根部
５４              フロントガラス
７２              主変速レバー
７２ａ            握り部
８０              第１パネル部分
８１              第２パネル部分
Ｏ                中央位置
【手続補正３】
【補正対象書類名】図面
【補正対象項目名】図３
【補正方法】変更
【補正の内容】
【図３】
2015126737.tif 000001